(57)【特許請求の範囲】
【請求項１】
液体収容容器の下端部内側に内周面に螺子溝を設けた案内筒を一体的に連設し、この案内筒に回動自在に嵌入する周壁に軸心方向の一対の案内溝を対向して設けた摺動操作筒を立設し下端にノズルあるいはノズル状の液体滴下部を垂設した中栓を液体収容容器の下端部に回動可能に嵌着し、液体収容容器の上端に採便棒挟持弁を嵌合して採便量調整凹所を上端部に設けた採便棒を摺動自在に挟持させ、この採便棒の下端に突設した一対の突起を中栓摺動操作筒の一対の案内溝および案内筒内周面の螺子溝に嵌合させるとともに、液体収容容器の上端から突出した採便棒を被嵌する蓋体を液体収容容器の上端部に嵌着してなり、中栓の回動により、採便棒が摺動されて、液体収容容器内への糞便の定量的な採取がなされるようにしたことを特徴とする採便容器。
【請求項２】
液体収容容器の下端部内側に内周面に螺子溝を設けた案内筒を一体的に連設し、この案内筒に回動自在に嵌入する周壁に軸心方向の一対の案内溝を対向して設けた摺動操作筒を立設し下端にノズルあるいはノズル状の液体滴下部を垂設した中栓を液体収容容器の下端部に回動可能に嵌着し、液体収容容器の上端に採便棒挟持弁を嵌合して採便量調整凹所を上端部に設けた採便棒を摺動自在に挟持させ、この採便棒の下端に突設した一対の突起を中栓摺動操作筒の一対の案内溝および案内筒内周面の螺子溝に嵌合させるとともに、天板下面に採便棒に嵌合する嵌合筒を垂設した蓋体を、採便前は液体収容容器の上端から突出した採便棒に嵌合筒でもって嵌合させ、中栓の回動により採便棒が摺動されて液体収容容器内への糞便の定量的な採取がなされた採便後は、液体収容容器の上端部に嵌着することを特徴とする採便容器。
【発明の詳細な説明】
【０００１】
【発明の属する技術分野】
本発明は、検査用の糞便を採取する採便容器に関し、さらに詳しくは、糞便を定量的に採取し、検査時に糞便検査用懸濁液として滴下できるようにした採便容器に関する。
【０００２】
【従来の技術】
糞便は、体内の病理検査試料として汎用されており、特に、糞便中の潜血の検出は、胃や十二指腸の潰瘍ならびに癌などの診断上非常に重要なものである。
このため、糞便を定量的に採取し、検査時に糞便検査用懸濁液として滴下できるようにした採便容器が種々開発されており、たとえば、内部に糞便を懸濁させるための液体を収容しうる容器本体に、先端付近に切欠部、凹部、又は貫通孔の少なくとも一つを有する採取棒を備えかつ容器本体に密封可能な手段を介して連結できる蓋体を被嵌し、試料を滴下するとき糞便懸濁液が通過する位置にフィルタ−を設置した糞便採取用容器が提案されている。（実公平２−１３９７７号公報、実公平５−１７６５２号公報）
【０００３】
【発明が解決しようとする課題】
ところが、この種の従来の糞便採取用容器は、容器本体から採取棒を備えた蓋体を取り外し、蓋体と一体の採取棒で糞便を採取した後、この採取棒を再度容器本体に挿入しなければならないため、操作が面倒である上、蓋体を持った手で糞便を採取した採取棒を挿入する際、採取棒が容器本体を固定した他方の手指や袖口の衣服などに触れたりして、採取した糞便が衣服や身体についたりする場合がある。
【０００４】
本発明は、かかる欠点を除去するため種々検討を行った結果なされたもので、糞便を採取する採便棒を蓋体ではなく、手で固定する側の液体収容容器に摺動自在に取り付け、採便棒の摺動調整を液体収容容器に回動自在に嵌着した中栓の回動で行うようにして、簡単な操作で液体収容容器内への糞便の定量的な採取が行えるようにし、採便棒で採取した糞便が誤って衣服や身体についたりすることがないようにしたものである。
【０００５】
【課題を解決するための手段】
本発明採便容器は、液体収容容器の下端部内側に内周面に螺子溝を設けた案内筒を一体的に連設し、この案内筒に回動自在に嵌入する周壁に軸心方向の一対の案内溝を対向して設けた摺動操作筒を立設し下端にノズルあるいはノズル状の液体滴下部を垂設した中栓を液体収容容器の下端部に回動可能に嵌着し、液体収容容器の上端に採便棒挟持弁を嵌合して採便量調整凹所を上端部に設けた採便棒を摺動自在に挟持させ、この採便棒の下端に突設した一対の突起を中栓摺動操作筒の一対の案内溝および案内筒内周面の螺子溝に嵌合させるとともに、液体収容容器の上端から突出した採便棒を被嵌する蓋体を液体収容容器の上端部に嵌着し、このことで中栓の回動により、採便棒が摺動されて、液体収容容器内への糞便の定量的な採取がされるようにした。
【０００７】
また、液体収容容器の下端部内側に内周面に螺子溝を設けた案内筒を一体的に連設し、この案内筒に回動自在に嵌入する周壁に軸心方向の一対の案内溝を対向して設けた摺動操作筒を立設し下端にノズルあるいはノズル状の液体滴下部を垂設した中栓を液体収容容器の下端部に回動可能に嵌着し、液体収容容器の上端に採便棒挟持弁を嵌合して採便量調整凹所を上端部に設けた採便棒を摺動自在に挟持させ、この採便棒の下端に突設した一対の突起を中栓摺動操作筒の一対の案内溝および案内筒内周面の螺子溝に嵌合させるとともに、天板下面に採便棒に嵌合する嵌合筒を垂設した蓋体を、採便前は液体収容容器の上端から突出した採便棒に嵌合筒でもって嵌合させ、中栓の回動により採便棒が摺動されて液体収容容器内への糞便の定量的な採取がなされた採便後は、液体収容容器の上端部に嵌着するようにした。
【０００９】
さらに、液体収容容器の下端部に回動自在に嵌着した中栓の液体滴下部またはノズルの内部に、さらにフィルタ−を内設している。
【００１０】
本発明採便容器は、上記のようにして構成され、糞便を採取する採便棒を液体収容容器に摺動自在に取り付け、採便棒の摺動調整を液体収容容器に回動自在に嵌着した中栓の回動で行うようにしているため、簡単な操作で液体収容容器内への糞便の定量的な採取が行えて使い勝手がよく、採便棒で採取した糞便が誤って衣服や身体についたりすることがない。
【００１１】
【発明の実施の形態】
以下、本発明採便容器の実施例を示す図面に基づいて説明する。
図１ないし図３において、１は液体収容容器であり、下端部内側に案内筒２を一体的に連接している。３は案内筒２の内周面に螺設された螺子溝である。
【００１２】
４は中栓で、液体収容容器１の下端狭小口部周壁に突設した掛合突条５に、液体収容容器１と同径の外周壁内周面に突設した掛合突条６を掛合して、液体収容容器１の下端部に回動自在に嵌着している。
【００１３】
７は中栓４の天板中央部に立設した摺動操作筒で、周壁に対向する一対の案内溝８，８を軸心方向に設けて、液体収容容器１の下端部内側に連接した案内筒２内に回動自在に嵌入している。
【００１４】
９は中栓４の天板中央部に摺動操作筒７と連通させて垂設したノズルで、フィルタ−１０を内設し、下端に滴下孔１１を穿設して、液体収容容器１を指で圧縮すると、ノズル９内に内設したフィルタ−１０を介し、ノズル９の先端に設けた滴下孔１１から、液体収容容器１内の液体が滴下されるようにしている。
【００１５】
１２は中栓４のノズル９先端部に螺着した蓋体で、天板内面中央部に突起１３を突設し、この突起１３をノズル９先端の滴下孔１１に嵌合して滴下孔１１を閉塞している。
【００１６】
１４は液体収容容器１の上端に嵌合した採便棒挟持弁で、中央部に設けた弁兼用貫通孔１５に採便棒１６を摺動自在に嵌合させて挟持している。
【００１７】
採便棒１６は、上端部に複数のリング状の採便量調整溝１７を設け、また下端周壁に対向する一対の突起１８，１８を突設して、この突起１８，１８を中栓４の天板中央部に立設した摺動操作筒７の周壁に設けた一対の案内溝８，８に挿入し、さらに液体収容容器１の下端部内側に連接した案内筒２の内周面の螺子溝３に嵌合させて、中栓４を回動すると一対の突起１８，１８が案内筒２の螺子溝３に案内され、摺動操作筒７の案内溝８，８に沿って上下に摺動するようにしている。
【００１８】
しかして、採便前は図１に示すように、採便棒１６下端の突起１８，１８を案内筒２上端の螺子溝３に嵌合させて液体収容容器１上端から突出させた状態で保持され、採便後は、中栓４の回動により採便棒１６下端の突起１８，１８が案内筒２の螺子溝３に沿って下降し、採便棒１６が徐々に下降摺動されて下端まで下降されると、図３に示すように、採便棒１６下端の突起１８，１８が案内筒２下端の螺子溝３に嵌合され、採便棒１６が採便棒挟持弁１４内に嵌入される。
【００１９】
１９は液体収容容器１の上端部に被嵌する蓋体で、液体収容容器１上端から突出した採便棒１６を被嵌して、液体収容容器１の上端狭小口部に螺着され、採便に際しては蓋体１９を取り外して使用される。そして、採便後は再び液体収容容器１の上端狭小口部に螺着される。
【００２０】
しかして、採便棒１６で糞便を採取するときは、蓋体１９を液体収容容器本体１の上端狭小口部から取り外し、液体収容容器１上端から突出した採便棒１６を糞便に突き入れて行われ、採便後は、中栓４を回動して採便棒１６を下方に摺動すると、弁兼用貫通孔１５によって採便棒１６の採便量調整溝１７内にある糞便のみが液体収容容器１内に収容され、糞便が定量的に採取される。
【００２１】
従って、液体収容容器１上端から突出した採便棒１６を糞便に突き入れて採便した後、中栓４を回動して採便棒１６を下方に摺動し、再度蓋体１９を液体収容容器１の後端狭小口部に被嵌螺着するだけの簡単な操作で、液体収容容器１内への糞便の定量的な採取が容易に行え、このとき、採便棒１６は蓋体ではなく、手で固定する側の液体収容容器１に摺動自在に取りつけられているため、採便棒１６で採取した糞便が誤って衣服や身体についたりすることがなく、使い勝手もよい。
【００２２】
液体収容容器１内に糞便を定量的に採取した後は、液体収容容器１を手でよく振って液体収容容器１内の液体中に糞便を懸濁させ、液体収容容器１下端部の中栓４のノズル９に螺着した蓋体１２を取り外して液体収容容器１を圧縮すれば、摺動操作筒７の周壁に設けた一対の案内溝８，８と、採便棒１６と中栓４の摺動操作筒７との間の間隙２０を介し、ノズル９内のフィルタ−１０で濾過された懸濁液がノズル９の滴下孔１１から滴下され、糞便中の潜血の検出などに利用される。
【００２３】
なお、以上の実施例では、ノズル９内にフィルタ−１０を内設しているが、フィルタ−１０は必ずしも必要でなく、ノズル９の滴下孔１１の径を調整したり、あるいは複数に滴下孔を設けたりして、糞便懸濁液を良好に滴下することもできる。
【００２４】
また、フィルタ−１０を使用する場合、フィルタ−１０としては、スポンジ、濾紙、グラスウ−ル、脱脂綿など、固液の分離ができ、糞便懸濁液を滴下して検査する際、未消化固形分を濾過し得て、検査対象物を吸収することがないものであれば、特に限定されることなく使用される。
【００２５】
さらに、採便棒１６も、リング状の採便量調整溝１７を設けたものに限定されず、上端部に切欠部、螺旋状溝などの凹部あるいは貫通孔など、糞便を所定量取り込むことができる凹所を有するものであれば、材質、形状を問わず使用することができる。
【００２６】
図４および図５は本発明採便容器の他の例を示したもので、この採便容器は、天板の下面に嵌合筒２１を垂設した蓋体２２を、採便前は、図４に示すように、液体収容容器１の上端から突出した採便棒１６の上端に嵌合筒２１でもって嵌合し、採便後は、図５に示すように、液体収容容器１上端狭小口部に螺着するようにした以外は、図１ないし図３に示した採便容器と同様にして構成されている。
【００２７】
しかして、この場合も、採便棒１６で糞便を採取するときは、蓋体２２を液体収容容器本体１の上端から突出した採便棒１６から取り外し、採便棒１６を糞便に突き入れて行われ、採便後は、中栓４を回動して採便棒１６を下方に摺動し、再度蓋体２２を液体収容容器１の後端狭小口部に被嵌螺着するだけの簡単な操作で、液体収容容器１内への糞便の定量的な採取が容易に行える。また、このとき、採便棒１６は蓋体ではなく、手で固定する側の液体収容容器１に取りつけられているため、採便棒１６で採取した糞便が誤って衣服や身体についたりすることがなく、使い勝手もよい。
【００２８】
なお、前記図１ないし図５で示した採便容器では、いずれも中栓４の天板中央部に摺動操作筒７と連通させて垂設したノズル９の先端に設けた滴下孔１１から、液体収容容器１内の液体が滴下されるようにし、ノズル９の先端部に蓋体１２を螺着しているが、液体収容容器１の下端から内部の液体を滴下できれば、これらの構成に限定されず、たとえば、蓋体を省いて、中栓の天板中央部に摺動操作筒と連通するノズル状で滴下孔のない液体滴下部を垂設し、使用時にノズル状液体滴下部の先端部を切除して、液体収容容器内の液体が滴下するようにしてもよい。
【００２９】
また、液体収容容器１の上端部に被嵌する蓋体１９，２２は、いずれも液体収容容器１の上端部に螺着しているが、螺着に限定されるものではなく、たとえば液体収容容器上端部外周壁と蓋体内周壁とにそれぞれ掛合用突条を周設するなどして、ワンタッチ操作で掛脱自在に嵌合できるようにしてもよい。
【００３０】
【発明の効果】
以上説明したように、本発明採便容器にあっては、糞便を採取する採便棒を蓋体ではなく、手で固定する側の液体収容容器に摺動自在に取り付け、採便棒の摺動調整を液体収容容器に回動自在に嵌着した中栓の回動で行うようにしているため、簡単な操作で液体収容容器内への糞便の定量的な採取が行えて使い勝手がよく、採便棒で採取した糞便が誤って衣服や身体についたりすることがない。
【図面の簡単な説明】
【図１】本発明採便容器の採便棒を液体収容容器から突出した状態の一実施例を示す縦断面図である。
【図２】図１に示す採便容器の分解斜視図である。
【図３】図１に示す採便容器の採便棒を液体収容容器内に収納した状態の縦断面図である。
【図４】本発明採便容器の採便棒を液体収容容器から突出した状態の他の実施例を示す縦断面図である。
【図５】図４に示す採便容器の採便棒を液体収容容器内に収納した状態の縦断面図である。
【符号の説明】
１  液体収容容器
２  案内筒
３  螺子溝
４  中栓
７  摺動操作筒
８  案内溝
９  ノズル（液体滴下部）
１０  フィルタ−
１１  滴下孔
１２，１９，２２  蓋体
１４  採便棒挟持弁
１６  採便棒
１７  採便量調整溝（採便量調整凹所）
１８  突起
１９  間隙
２１  嵌合筒
【図１】
0003567025.tif 000002
【図２】
0003567025.tif 000003
【図３】
0003567025.tif 000004
【図４】
0003567025.tif 000005
【図５】
0003567025.tif 000006